(57)【特許請求の範囲】
【請求項１】
第１の上部斜面と第２の上部斜面とを有する書き込みポールチップを備え、
前記第１の上部斜面は、前記第２の上部斜面よりも空気ベアリング面の近くに配置され、
前記書き込みポールチップの前記空気ベアリング面に垂直な面に対する前記第１の上部斜面の角度は、前記第２の上部斜面の角度よりも大きい、装置。
【請求項２】
前記書き込みポールチップに隣接し、前記第１の上部斜面の角度と実質的に同じ角度を有するフロントシールドをさらに備える、請求項１に記載の装置。
【請求項３】
前記書き込みポールチップは、さらに底部斜面を含む、請求項１または２に記載の装置。
【請求項４】
前記書き込みポールチップは、３つ以上の上部斜面を有する、請求項１〜３のいずれか１項に記載の装置。
【請求項５】
３つ以上の上部斜面を含む書き込みポールチップを備え、
前記３つ以上の上部斜面の各々は、前記書き込みポールチップの空気ベアリング面に垂直な面に対して異なる角度で傾斜する、装置。
【発明の詳細な説明】
【発明の概要】
【課題を解決するための手段】
【０００１】
概要
本発明に係る特定の実施例は、全体として凸形状を有する書き込みポールチップを含む装置に関する。
【０００２】
特定の実施例において、装置は、書き込みポールチップを含み、書き込みポールチップは、書き込みポールパドルと空気ベアリング面との間に凸形状を形成する単調減少斜面である上面を有する。
【０００３】
特定の実施例において、装置は、第１の上部斜面と第２の上部斜面とを有する書き込みポールチップを含む。第１の上部斜面は、書き込みポールチップの空気ベアリング面に垂直な面に対して、第２の上部斜面よりも大きい角度を有する。
【図面の簡単な説明】
【０００４】
【図１】本開示の特定の実施例に係る例示的な書き込みポールの等角図である。
【図２】図１の例示的な書き込みポールの側面図である。
【図３】本開示の特定の実施例に係る例示的な書き込みポールの等角図である。
【図４】図３の例示的な書き込みポールの側面図である。
【図５】本開示の特定の実施例に係る例示的な書き込みポールの側面図である。
【図６】例示的な磁気記録ヘッドの側面図である。
【発明を実施するための形態】
【０００５】
詳細な説明
本開示は、磁気記録ヘッドに使用される書き込みポールに関する。当業者は、書き込みポールを利用する磁気記録ヘッドが多くのデータ記録装置に設けられることを理解するであろう。
【０００６】
図６に示されるように、ハードディスクドライブなどのデータ記憶装置には、磁気記録ヘッド６００と、複数の同心トラックに沿ってデータが記憶される回転可能な媒体６０２が設けられる。ヘッドジンバル組立体によって、トラックに隣接する磁気記録ヘッド６００が正確に位置決めされる。データを記録媒体６０２に書き込むためには、磁気記録ヘッド６００の電導コイル６０４を介して電流の流れが引き起される。コイルの電流は、書込ポール６０６、６０８にわたって磁界を誘発する。コイル６０４を流れる電流の極性を逆にすることによって、記録媒体６０２に書き込まれるデータの極性もまた逆となる。通常、上部ポール６０６は、記録媒体６０２にデータを物理的に書き込むために使用される。上部ポール６０６は、書き込まれるデータのトラックの幅を定める。
【０００７】
磁気記録において記憶容量を増やすための１つの方法は、情報を記録して確実に読み出すことができる面／トラック密度を増やすことである。トラック密度が増加するにつれ、磁気記録ヘッド６００内の構成部分の大きさが縮小する。例えば、狭いトラック幅に対する読み取りおよび書き込みは、磁気記録ヘッド６００の空気ベアリング面（ＡＢＳ）の幅が狭いポールチップを使用することによって実現する。しかし、ポールの幅は、書き込みポールのパドル領域において大きくなければならない。なぜなら、パドル領域は、周囲のコイルからの磁界を捕捉または収集し、書き込みポールチップ、および最終的には記録媒体６０２に磁界を集めるからである。ポール幅を大きくすると、コイル書き込み電流によってポールを介して適切な磁束が誘導される。
【０００８】
記録ヘッドの書き込みポールの大きさを小さくすると、書き込みポールから記録媒体への効果的な磁束の伝搬に関して問題が起こる。例えば、データを書き込むための磁束の適切な量に対して書き込みポールを適合させることができなくなる、すなわち書き込みフィールド幅および傾斜が、記録媒体にデータを適切に書き込むには十分でなくなるという問題がある。遷移の鮮明さまたは分解能が劣化するにつれ、ビット間での遷移の質が乏しくなる。これにより、信号対ノイズ比が下がり、ビットエラー率の損失を引き起こし得る。
【０００９】
特定の書き込みポールの形状は、磁束が書き込みポールからフロントシールド（トレーリングシールドという場合もある）へ漏れ、これにより、記録媒体へ運ばれる磁束の量が減るため、非効率である。製品の信頼性に関しては、（書き込みポールの側面視のダウントラック方向における）書き込みポール長さの中心に対する書き込みポールの形状が過度に非対称性であると、書き込みポールチップの後縁において複雑な磁化点が形成される。これにより、書き込み電流が止められた後に、残留フリンジ磁界が書き込みポールチップから発生し、書き込み後の消去（ＥＡＷ）が記録ビットにおいて引き起こされる。
【００１０】
本開示の特定の実施例は、高面密度記録媒体に対して磁界を適切に伝搬させることができる書き込みポールチップおよびトレーリングシールドを含む装置に関する。
【００１１】
図１は、第１の上部斜面１０２と、第２の上部斜面１０４と、底部斜面１０６と、空気ベアリング面（ＡＢＳ）とを有する書き込みポールチップ１００を示す。図１の点線は、便宜上、書き込みポールチップ１００の形状を示すために含まれる。第１の上部斜面１０２および第２の上部斜面１０４は、所定の角度（θ１、θ２）で傾斜する。図１に示されるように、ＡＢＳに垂直な面に対して、第１の上部斜面の角度（θ１）は、第２の上部斜面の角度（θ２）よりも大きく、凸形状が形成される。パドル部１０８は、書き込みポールチップ１００の端部に位置する。図１に示されるように、パドル部１０８は、導電コイルによって磁界がパドル部１０８を越えて誘導される磁気記録ヘッドの領域の方向に沿って徐々に細くすることができる。これにより、導電コイルの近くにおいてポールの幅を広くすることができる。この領域は、ヨークとも呼ばれる。書き込みポールチップ１００および他の書き込みポールの部分は、ＣｏＦｅ、ＣｏＦｅＮｉ、ＣｏＦｅＲｈ、ＣｏＦｅＲｕ、ＣｏＦｅＰｔ、ＣｏＦｅＰｄ、および／またはＮｉＦｅなどの高モーメント材料を含むことができる。
【００１２】
図２は、図１の書き込みポールチップ１００の側面図である。図２は、書き込みポールチップ１００に隣接して書き込みポールチップ１００の上側に面する、フロントシールド１１０をさらに含む。フロントシールド１１０は、高モーメント材料を含む種層１１２を有する。高モーメント材料は、例えば、ＣｏＦｅ、ＣｏＦｅＮｉ、ＣｏＦｅＲｈ、ＣｏＦｅＲｕ、ＣｏＦｅＰｔ、ＣｏＦｅＰｄ、および／またはＮｉＦｅを含むが、これらに限定されるものではない。図２に示されるように、フロントシールド１１０は、第１の上部斜面１０２に実質的に同じ角度を有する。ここでいう「実質的」とは、完全に一致する角度から僅かに離れた数値を含むことを意図する。図２に示されるように、書き込みポールチップ１００は、記録媒体１１４の上に浮遊する。矢印の方向に記録媒体１１４が進む時に、第１の上部斜面１０２および第２の上部斜面１０４は書き込みポールチップ１００の前縁に位置し、底部斜面１０６は書き込みポールチップ１００の後縁に位置する。ＡＢＳは、記録媒体１１４に面する。書き込みポールチップ１００の近くの間隔層および絶縁層の描画は、明瞭化のために省略される。書き込みポールチップ１００の幅は、ＡＢＳにおいて、パドル部１０８よりも小さい。
【００１３】
図３は、上面３０２と、底部斜面３０４と、空気ベアリング面（ＡＢＳ）とを有する書き込みポールチップ３００を示す。図３の点線は、書き込みポールチップ３００の形状を示す便宜のために含まれる。上面３０２は、書き込みポールチップ３００の端部に位置するＡＢＳとパドル部３０６との間に凸形状を形成するように成形される。図３に示されるように、凸形状は、パドル部３０６から始まりＡＢＳで終端する傾斜において単調に減少する。
【００１４】
図４は、図３の書き込みポールチップ３００の側面図である。図４は、書き込みポールチップ３００に隣接して書き込みポールチップ３００の凸形状の上面３０２に対面するフロントシールド３０８をさらに含む。フロントシールド３０８は、高モーメント材料を含む種層３１０を有する。図４に示されるように、書き込みポールチップ３００は、記録媒体３１２の上に浮遊する。記録媒体３１２が矢印の方向に進む時に、上面３０２は書き込みポールチップ３００の前縁に位置し、底部斜面３０４は書き込みポールチップの後縁に位置する。ＡＢＳは、記録媒体３１２に面する。書き込みポールチップ３００の近くに設けられる間隔層および絶縁層は、明瞭化のために省略される。
【００１５】
図５は、第１の上部斜面５０２と、第２の上部斜面５０４と、第３の上部斜面５０６と、底面５０８と、および空気ベアリング面（ＡＢＳ）とを有する書き込みポールチップ５００を示す。図５の点線は、便宜上、書き込みポールチップ５００の形状を示すために含まれる。第１の上部斜面５０２、第２の上部斜面５０４、および第３の上部斜面５０６は、ある角度（θ１、θ２、θ３）で傾斜している。図５に示されるように、ＡＢＳに垂直な面に対し、第１の上部斜面の角度（θ１）は、第２の上部斜面の角度（θ2）より大きく、第２の上部斜面の角度は、第３の上部斜面の角度（θ３）よりも大きい。これにより、凸形状が形成される。パドル部５１０は、書き込みポールチップ５００の端部に位置する。フロントシールド５１２は、書き込みポールチップ５００に隣接し、書き込みポールチップ５００の第１の上部斜面５０２、第２の上部斜面５０４、および第３の上部斜面５０６に対面して配置される。フロントシールド５１２は、高モーメント材料を含む種層５１４を有する。
【００１６】
図５に示されるように、書き込みポールチップ５００は、記録媒体５１６の上に浮遊する。記録媒体５１６が矢印の方向に進む時に、第１の上部斜面５０２、第２の上部斜面５０４、および第３の上部斜面５０６は、書き込みポールチップ５００の前縁に位置し、底面５０８は、書き込みポールチップ５００の後縁に位置する。ＡＢＳは、記録媒体５１６に面する。書き込みポールチップ５００の近くに設けられる間隔層および絶縁層は、明瞭化のために省略される。
【００１７】
上述の記載においては、本発明の様々な実施例の数多くの特徴や利点が、本発明の様々な実施例の構造や機能の詳細と共に記載されたが、詳細な記載は例示のみであり、細部についての変更は可能である。特に、添付の請求項に記載の用語の広い一般的な意味によって最大限に示される本発明の要旨内における部品の構造や配置についての変更が可能である。
【符号の説明】
【００１８】
１００  書き込みポールチップ、１０２  第１の上部斜面、１０４  第２の上部斜面、１０６  底部斜面、１０８  パドル部、１１０  フロントシールド、１１２  種層、１１４  記録媒体。
【図１】
0005933369.tif 000002
【図２】
0005933369.tif 000003
【図３】
0005933369.tif 000004
【図４】
0005933369.tif 000005
【図５】
0005933369.tif 000006
【図６】
0005933369.tif 000007